(57)【要約】      （修正有）【課題】ひさしのある建物に対しても、ワイヤー引張方式でのソーラーパネル取付を可能とする保護管体を提供する。【解決手段】上部有孔下部開放筒状の副管受け部２を有する主管１を設け、一方、取り付け孔を有する板体をその外面に設けた副管３を設け、該副管内に主管を挿通させるとともに、副管上縁を副管受け部に当接させて組み合わせたことを特徴とする。【選択図】図６
0003164709.tif 000002
【実用新案登録請求の範囲】
【請求項１】
その上部に、上部有孔下部開放筒状の副管受け部を有する主管を設け、一方、取り付け孔を有する板体をその外面に設けた副管を設け、該副管内に主管を挿通させるとともに、副管上縁を副管受け部に当接させて組み合わせたことを特徴とするソーラーパネル設置用保護管体。
【請求項２】
平行な両端部を有する折曲管体よりなる折曲主管を設けて、該主管を保護管体として用いることを特徴とするソーラーパネル設置用保護管体。
【請求項３】
管体の両端を同方向に折曲するとともに、その上部と下部を同一軸芯位置となるよう形成してなるソーラーパネル設置用保護管体。
【請求項４】
その中央を鈍角に折曲してなる上部主管と下部主管を各々設け、各主管の一部外面に、スリットを有する調整板を該管体に対し対称位置に各々固着し、一方、スリットを有する添板を各々設けるとともに、上部主管下部に内管を露出させて設け、該内管を下部主管に挿入するとともに、添板を各スリット上に位置させ、該スリットを挿通するボルトとこのボルトに螺合するナットにて、上部主管と下部主管相互の位置調整が可能となるよう構成したことを特徴とするソーラーパネル設置用保護管体。
【考案の詳細な説明】
【技術分野】
【０００１】  この考案は、ワイヤー固定式によるソーラーパネル設置時にワイヤー保護のために用いる保護管体に関する。
【背景技術】
【０００２】  従来からのソーラーパネル設置は、建物屋根にビス止めする方法が一般的であり、本案にて示すようなワイヤー固定方式に使用するための保護管体は見あたらない。
【考案の開示】
【考案が解決しようとする課題】
【０００３】  ソーラーパネルはその大半は建物屋根にビスにて取り付けるが、雨漏り等の問題があった。これを避けるために、ワイヤー固定による新方式のソーラーパネル取付手段を出願した。（特願２００９−１５９２９１号）この出願はひさしのない建物を想定したものである。上記のごとく従来のソーラーパネル取付工法には難点があるため、図１２にて示すごとく、ワイヤー固定による取付工法を出願したのであるが、ひさしのある建物の場合は、ひさしと壁面との間に段差が生じるために、これを調整する必要があり、今回、ひさしのある建物へのソーラーパネル取付時に使用する新規なる保護管体を提供せんとするものである。
【課題を解決するための手段】
【０００４】  課題を解決する手段として本案は、以下の構成とした。
すなわち、その上部に、上部有孔下部開放筒状の副管受け部を有する主管を設け、一方、取り付け孔を有する板体をその外面に設けた副管を設け、該副管内に主管を挿通させるとともに、副管上縁を副管受け部に当接させて組み合わせる。本案は以上の構成よりなるソーラーパネル設置用保護管体である。なお、主管を折曲管体とする、またこの折曲管体をアジャスト可能に構成するなどの手段も可能である。
【考案の効果】
【０００５】  本案は以下の効果を有する。
１．ワイヤー固定方式によるソーラーパネル設置において、ひさしのある建物に対しても外観的に違和感なくワイヤーを保護するための管体を得ることができる。
２．折曲管体を用いることにて、ひさし部分への穿孔を不要とした保護管体設置ができる。
３．折曲管体を二分割するとともに、該管体相互位置のアジャストを可能に構成することにて、壁面に対するひさしの張り出し距離変化に対応して設けることができる。
【考案を実施するための最良の形態】
【０００６】  以下、本考案の実施形態について説明する。
図において、１は主管で、適当長の金属管であり、その上端には下部開放上部有孔短管による副管受け部２が互いの上縁を一致させて固着されている。３は副管で、金属短管の外面適所に円板４を設けたもので、この円板適所には四等配に取り付け孔５が穿設される。
この主管と副管は、主管が副管内に位置するとともに、副管上縁は副管受け部内方下面に当接してその位置が決まり、従って副管位置設定にて主管位置が定まり、図６のごとく建物のひさしに穿設される孔内に主管および副管が位置し、円板下面はひさし上面に接して取り付け孔５を介してボルト止めされる。
主管下方は適宜なる支持部材１０にて建物壁面に固定され、主管内を下降したワイヤー１２は適宜構造の固定金具１１に固定される。以上の構造から、ソーラーパネルを引張固定するワイヤーは建物外壁に沿って位置する管体を介して下方に延び、固定金具にて固定され、外観および機能的に良好な状態を保つことができる。【０００７】  図７〜図１１は本案の他例を示すものである。
図７は主管を、平行な両端を有する折曲管体２０を用いたもので、この折曲にてひさしと壁面との段差に対応して、ひさしに穿孔せずにワイヤーを通す方式である。
なお、図のごとく適宜な支持部材にてこの折曲管体はひさしと壁面に取り付けられる。
図８は窓枠の段差を回避するための細折曲管体３０を用いたもので、管体の両端近傍を同方向に折曲して形成される。図９は、折曲管体を分割して、段差にアジャスト可能としたものである。図において、４０はその中央を鈍角に折曲した金属管による上部主管で、折曲個所の管体外面には、スリット４１を有する平板による調整板４２が管体に対し対称位置に各々固着される。また、折曲管体内面には適当長の内管４３が露出して固着される。
この内管外径は主管内径よりわずかに小さく形成される。４４は上部主管と近似形の下部主管であるが、内管は具備されない。４５は添板で、スリットを有する細長板体である。これらの各部は以下のごとく組み合わせ固定される。まず、上部主管下方の内管を下部主管内に挿入し、各主管双方のスリット上に添板を位置させ、スリットを介してボルトとナットにて固定する。これを前述の折曲管体同様に用いる。ボルトとナットをゆるめることにて、互いの主管位置調整が可能となるので、取り付けようとする建物の状況に対応することができる。【０００８】  以上、本案について記したが、本案はワイヤーによるソーラーパネル取付方式におけるワイヤー保護と美感向上のために発案されたものであり、前記出願のより有効な利用に寄与するものである。既述のように、従来のソーラーパネル設置法は、屋根上にビス等にて固定する方式のために、ときにはその取付個所から雨水が屋内に侵入して雨漏り等の被害を被るものであったが、これに対する有効な対策が見あたらないのが現状である。
それがためにソーラーパネル設置に対して不安に思う人もおり、これを解決するべく、ワイヤーによるソーラーパネル設置という画期的手段を出願した。
しかし、建物にはひさし部分を有するものも多く見受けられ、また建物は視認しやすいものであるため、ワイヤー保護のみならず視覚上の良好性をも考慮した手段を得るべく努力した結果、本案の発案となったのである。なお、既述の例では、管体を金属管としたが、耐久性を満足するものであれば、合成樹脂管等を用いて製作してもよい。また、本案例示に用いた支持部材と固定金具は、例示以外の任意な形状と構造のものが使用できる。
本案は既述のワイヤー固定式に代えてロッド等による固定にも利用可能である。
以上のごとく、本案にてワイヤー等を用いたソーラーパネル設置手段に有効なる保護管体を得ることができる。
【図面の簡単な説明】
【０００９】
【図１】本考案の主管の平面図
【図２】本考案の主管の正面図
【図３】本考案の副管の平面図
【図４】本考案の副管の正面図
【図５】本考案の各部組み合わせ説明図
【図６】本考案の各部組み合わせ説明図（取り付け状態）
【図７】本考案の他例説明図（取り付け状態）
【図８】本考案の他例説明図（取り付け状態）
【図９】本考案の他例説明図
【図１０】本考案の他例説明図
【図１１】本考案の他例説明図（取り付け状態）
【図１２】前出願を元にした建物説明図
【符号の説明】
【００１０】１    主管
２    副管受け部
３    副管
４    円板
５    取り付け孔
１０  支持部材
１１  固定金具
１２  ワイヤー
２０  折曲管体
３０  細折曲管体
４０  上部主管
４１  スリット
４２  調整板
４３  内管
４４  下部主管
４５  添板
【図１】
0003164709.tif 000003
【図２】
0003164709.tif 000004
【図３】
0003164709.tif 000005
【図４】
0003164709.tif 000006
【図５】
0003164709.tif 000007
【図６】
0003164709.tif 000008
【図７】
0003164709.tif 000009
【図８】
0003164709.tif 000010
【図９】
0003164709.tif 000011
【図１０】
0003164709.tif 000012
【図１１】
0003164709.tif 000013
【図１２】
0003164709.tif 000014
【手続補正書】
【提出日】平成22年6月28日(2010.6.28)
【手続補正１】
【補正対象書類名】実用新案登録請求の範囲
【補正対象項目名】全文
【補正方法】変更
【補正の内容】
【実用新案登録請求の範囲】
【請求項１】
その上部に、上部有孔下部開放筒状の副管受け部を有する主管を設け、一方、取り付け孔を有する板体をその外面に設けた副管を設け、該副管内に主管を挿通させるとともに、副管上縁を副管受け部に当接させて組み合わせたことを特徴とするソーラーパネル設置用保護管体。
【手続補正２】
【補正対象書類名】明細書
【補正対象項目名】全文
【補正方法】変更
【補正の内容】
【考案の詳細な説明】
【技術分野】
【０００１】  この考案は、ワイヤー固定式によるソーラーパネル設置時にワイヤー保護のために用いる保護管体に関する。
【背景技術】
【０００２】  従来からのソーラーパネル設置は、建物屋根にビス止めする方法が一般的であり、本案にて示すようなワイヤー固定方式に使用するための保護管体は見あたらない。
【考案の開示】
【考案が解決しようとする課題】
【０００３】  ソーラーパネルはその大半は建物屋根にビスにて取り付けるが、雨漏り等の問題があった。これを避けるために、ワイヤー固定による新方式のソーラーパネル取付手段を出願した。（特願２００９−１５９２９１号）この出願はひさしのない建物を想定したものである。上記のごとく従来のソーラーパネル取付工法には難点があるため、図１２にて示すごとく、ワイヤー固定による取付工法を出願したのであるが、ひさしのある建物の場合は、ひさしと壁面との間に段差が生じるために、これを調整する必要があり、今回、ひさしのある建物へのソーラーパネル取付時に使用する新規なる保護管体を提供せんとするものである。
【課題を解決するための手段】
【０００４】  課題を解決する手段として本案は、以下の構成とした。
すなわち、その上部に、上部有孔下部開放筒状の副管受け部を有する主管を設け、一方、取り付け孔を有する板体をその外面に設けた副管を設け、該副管内に主管を挿通させるとともに、副管上縁を副管受け部に当接させて組み合わせる。
本案は以上の構成よりなるソーラーパネル設置用保護管体である。なお、主管を折曲管体とする、またこの折曲管体をアジャスト可能に構成するなどの手段も可能である。
【考案の効果】
【０００５】  本案は以下の効果を有する。
ワイヤー固定方式によるソーラーパネル設置において、ひさしのある建物に対しても外観的に違和感なくワイヤーを保護するための管体を得ることができる。
【考案を実施するための最良の形態】
【０００６】  以下、本考案の実施形態について説明する。
図において、１は主管で、適当長の金属管であり、その上端には下部開放上部有孔短管による副管受け部２が互いの上縁を一致させて固着されている。３は副管で、金属短管の外面適所に円板４を設けたもので、この円板適所には四等配に取り付け孔５が穿設される。
この主管と副管は、主管が副管内に位置するとともに、副管上縁は副管受け部内方下面に当接してその位置が決まり、従って副管位置設定にて主管位置が定まり、図６のごとく建物のひさしに穿設される孔内に主管および副管が位置し、円板下面はひさし上面に接して取り付け孔５を介してボルト止めされる。
主管下方は適宜なる支持部材１０にて建物壁面に固定され、主管内を下降したワイヤー１２は適宜構造の固定金具１１に固定される。以上の構造から、ソーラーパネルを引張固定するワイヤーは建物外壁に沿って位置する管体を介して下方に延び、固定金具にて固定され、外観および機能的に良好な状態を保つことができる。【０００７】  以上、本案について記したが、本案はワイヤーによるソーラーパネル取付方式におけるワイヤー保護と美感向上のために発案されたものであり、前記出願のより有効な利用に寄与するものである。既述のように、従来のソーラーパネル設置法は、屋根上にビス等にて固定する方式のために、ときにはその取付個所から雨水が屋内に侵入して雨漏り等の被害を被るものであったが、これに対する有効な対策が見あたらないのが現状である。
それがためにソーラーパネル設置に対して不安に思う人もおり、これを解決するべく、ワイヤーによるソーラーパネル設置という画期的手段を出願した。
しかし、建物にはひさし部分を有するものも多く見受けられ、また建物は視認しやすいものであるため、ワイヤー保護のみならず視覚上の良好性をも考慮した手段を得るべく努力した結果、本案の発案となったのである。なお、既述の例では、管体を金属管としたが、耐久性を満足するものであれば、合成樹脂管等を用いて製作してもよい。また、本案例示に用いた支持部材と固定金具は、例示以外の任意な形状と構造のものが使用できる。本案は既述のワイヤー固定式に代えてロッド等による固定にも利用可能である。
以上のごとく、本案にてワイヤー等を用いたソーラーパネル設置手段に有効なる保護管体を得ることができる。
【図面の簡単な説明】
【０００９】
【図１】  本考案の主管の平面図
【図２】  本考案の主管の正面図
【図３】  本考案の副管の平面図
【図４】  本考案の副管の正面図
【図５】  本考案の各部組み合わせ説明図
【図６】  本考案の各部組み合わせ説明図（取り付け状態）
【図１２】  前出願を元にした建物説明図
【符号の説明】
【００１０】  １  主管
２  副管受け部
３  副管
４  円板
５  取り付け孔
１０  支持部材
１１  固定金具
１２  ワイヤー
【手続補正３】
【補正対象書類名】図面
【補正対象項目名】図７、図８、図９、図１０、図１１
【補正方法】削除
【補正の内容】
【手続補正書】
【提出日】平成22年9月8日(2010.9.8)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】  この考案は、ワイヤー固定式によるソーラーパネル設置時にワイヤー保護のために用いる保護管体に関する。
【背景技術】
【０００２】  従来からのソーラーパネル設置は、建物屋根にビス止めする方法が一般的であり、本案にて示すようなワイヤー固定方式に使用するための保護管体は見あたらない。
【考案の開示】
【考案が解決しようとする課題】
【０００３】  ソーラーパネルはその大半は建物屋根にビスにて取り付けるが、雨漏り等の問題があった。これを避けるために、ワイヤー固定による新方式のソーラーパネル取付手段を出願した。（特願２００９−１５９２９１号）この出願はひさしのない建物を想定したものである。上記のごとく従来のソーラーパネル取付工法には難点があるため、図１２にて示すごとく、ワイヤー固定による取付工法を出願したのであるが、ひさしのある建物の場合は、ひさしと壁面との間に段差が生じるために、これを調整する必要があり、今回、ひさしのある建物へのソーラーパネル取付時に使用する新規なる保護管体を提供せんとするものである。
【課題を解決するための手段】
【０００４】  課題を解決する手段として本案は、以下の構成とした。
すなわち、その上部に、上部有孔下部開放筒状の副管受け部を有する主管を設け、一方、取り付け孔を有する板体をその外面に設けた副管を設け、該副管内に主管を挿通させるとともに、副管上縁を副管受け部に当接させて組み合わせる。
本案は以上の構成よりなるソーラーパネル設置用保護管体である。なお、主管を折曲管体とする、またこの折曲管体をアジャスト可能に構成するなどの手段も可能である。
【考案の効果】
【０００５】  本案は以下の効果を有する。
ワイヤー固定方式によるソーラーパネル設置において、ひさしのある建物に対しても外観的に違和感なくワイヤーを保護するための管体を得ることができる。
【考案を実施するための最良の形態】
【０００６】  以下、本考案の実施形態について説明する。
図において、１は主管で、適当長の金属管であり、その上端には下部開放上部有孔短管による副管受け部２が互いの上縁を一致させて固着されている。３は副管で、金属短管の外面適所に円板４を設けたもので、この円板適所には四等配に取り付け孔５が穿設される。
この主管と副管は、主管が副管内に位置するとともに、副管上縁は副管受け部内方下面に当接してその位置が決まり、従って副管位置設定にて主管位置が定まり、図６のごとく建物のひさしに穿設される孔内に主管および副管が位置し、円板下面はひさし上面に接して取り付け孔５を介してボルト止めされる。
主管下方は適宜なる支持部材１０にて建物壁面に固定され、主管内を下降したワイヤー１２は適宜構造の固定金具１１に固定される。以上の構造から、ソーラーパネルを引張固定するワイヤーは建物外壁に沿って位置する管体を介して下方に延び、固定金具にて固定され、外観および機能的に良好な状態を保つことができる。【０００７】  以上、本案について記したが、本案はワイヤーによるソーラーパネル取付方式におけるワイヤー保護と美感向上のために発案されたものであり、前記出願のより有効な利用に寄与するものである。既述のように、従来のソーラーパネル設置法は、屋根上にビス等にて固定する方式のために、ときにはその取付個所から雨水が屋内に侵入して雨漏り等の被害を被るものであったが、これに対する有効な対策が見あたらないのが現状である。
それがためにソーラーパネル設置に対して不安に思う人もおり、これを解決するべく、ワイヤーによるソーラーパネル設置という画期的手段を出願した。
しかし、建物にはひさし部分を有するものも多く見受けられ、また建物は視認しやすいものであるため、ワイヤー保護のみならず視覚上の良好性をも考慮した手段を得るべく努力した結果、本案の発案となったのである。なお、既述の例では、管体を金属管としたが、耐久性を満足するものであれば、合成樹脂管等を用いて製作してもよい。また、本案例示に用いた支持部材と固定金具は、例示以外の任意な形状と構造のものが使用できる。本案は既述のワイヤー固定式に代えてロッド等による固定にも利用可能である。
以上のごとく、本案にてワイヤー等を用いたソーラーパネル設置手段に有効なる保護管体を得ることができる。
【図面の簡単な説明】
【０００９】
【図１】本考案の主管の平面図
【図２】本考案の主管の正面図
【図３】本考案の副管の平面図
【図４】本考案の副管の正面図
【図５】本考案の各部組み合わせ説明図
【図６】本考案の各部組み合わせ説明図（取り付け状態）
【図７】前出願を元にした建物説明図
【符号の説明】
【００１０】１    主管
２    副管受け部
３    副管
４    円板
５    取り付け孔
１０  支持部材
１１  固定金具
１２  ワイヤー
【手続補正２】
【補正対象書類名】手続補正書
【補正対象項目名】手続補正３
【補正方法】変更
【補正の内容】
【手続補正３】
【補正対象書類名】図面
【補正対象項目名】図７
【補正方法】変更
【補正の内容】
【図７】
0003164709.tif 000015
【手続補正３】
【補正対象書類名】手続補正書
【補正対象項目名】手続補正４
【補正方法】追加
【補正の内容】
【手続補正４】
【補正対象書類名】図面
【補正対象項目名】図８
【補正方法】削除
【補正の内容】
【手続補正４】
【補正対象書類名】手続補正書
【補正対象項目名】手続補正５
【補正方法】追加
【補正の内容】
【手続補正５】
【補正対象書類名】図面
【補正対象項目名】図９
【補正方法】削除
【補正の内容】
【手続補正５】
【補正対象書類名】手続補正書
【補正対象項目名】手続補正６
【補正方法】追加
【補正の内容】
【手続補正６】
【補正対象書類名】図面
【補正対象項目名】図１０
【補正方法】削除
【補正の内容】
【手続補正６】
【補正対象書類名】手続補正書
【補正対象項目名】手続補正７
【補正方法】追加
【補正の内容】
【手続補正７】
【補正対象書類名】図面
【補正対象項目名】図１１
【補正方法】削除
【補正の内容】
【手続補正７】
【補正対象書類名】手続補正書
【補正対象項目名】手続補正８
【補正方法】追加
【補正の内容】
【手続補正８】
【補正対象書類名】図面
【補正対象項目名】図１２
【補正方法】削除
【補正の内容】